(57)【特許請求の範囲】
【請求項１】
設置される物品を支持する支持溝が設けられた長尺状のレール部材を備えた壁面用支持装置において、レール部材は板形に形成され支持溝が後面に設けられて取付部材によって壁面に取付けられ、取付部材はレール部材の後面に取付けられレール部材，壁面の間に隙間を確保する柱部が設けられ、
前記取付部材の柱部は壁面に取付けられる柱本体とレール部材に取付けられて柱本体に嵌合される柱カバーとを備え、
前記レール部材は後面に取付部材の柱部の柱カバーの先端が係合する取付溝が設けられていることを特徴とする壁面用支持装置。
【請求項２】
請求項１に記載の壁面用支持装置において、レール部材の取付溝はレール部材の端部に開放されて長さ方向へ配設されていることを特徴とする壁面用支持装置。
【請求項３】
請求項１または２に記載の壁面用支持装置において、取付部材の柱部の柱カバーはレール部材への取付位置を固定する固定用ネジが設けられていることを特徴とする壁面用支持装置。
【発明の詳細な説明】
【技術分野】
【０００１】
本発明は、壁面に各種の物品を支持して設置するための壁面用支持装置に係る技術分野に属する。
【背景技術】
【０００２】
最近、壁面に取付けられた長尺状のレール部材に各種の物品を引掛け，吊持ち，係合，差込みする等して支持することにより設置することが行われている。この物品の設置手段では、壁面等の内装材に大規模な改造を施工することなく壁面の任意の場所に物品を設置することができるという利点があるが、レール部材等によって壁面の美観を損なうことがあるという難点もある。このため、壁面の美観を損なうことなく壁面の任意の場所に物品を設置することのできる壁面用支持装置の開発が切望されている。
【０００３】
従来、壁面の美観を損なうことなく壁面の任意の場所に物品を設置することを指向した壁面用支持装置としては、例えば、以下に記載のものが知られている。
【特許文献１】実公平７−３８５５２号公報  特許文献１には、壁面に直接に取付けられ前面に設置される物品を係合させて支持する支持溝が設けられた長尺状のレール部材と、レール部材の前面に着脱可能に設けられてレール部材の支持溝を被覆するカバー部材とを備えた壁面用支持装置が記載されている。
【０００４】
特許文献１に係る壁面用支持装置は、レール部材の支持溝に物品を支持した後に、レール部材にカバー部材を取付けてレール部材の支持溝の凹凸構造を被覆することで、壁面の美観の低下を防止するものである。
【発明の開示】
【発明が解決しようとする課題】
【０００５】
特許文献１に係る壁面用支持装置では、レール部材が壁面に直接に取付けられるため、壁面に凹凸がある場合（壁面自体の凹凸や壁面から他部材が突出した凹凸がある場合）には取付けることができないという問題点がある。また、レール部材，カバー部材の２部材の組付けによる箱形構造になるため、平面からなる壁面における異物感が強くなってしまい、壁面の美観の低下を充分に防止することができないという問題点がある。
【０００６】
本発明は、このような問題点を考慮してなされたもので、壁面に凹凸がある場合にも取付けることができて、壁面の美観の低下を確実に防止することができる壁面用支持装置を提供することを課題とする。
【課題を解決するための手段】
【０００７】
前述の課題を解決するため、本発明に係る壁面用支持装置は、特許請求の範囲の各請求項に記載の手段を採用する。
【０００８】
即ち、請求項１では、設置される物品を支持する支持溝が設けられた長尺状のレール部材を備えた壁面用支持装置において、レール部材は板形に形成され支持溝が後面に設けられて取付部材によって壁面に取付けられ、取付部材はレール部材の後面に取付けられレール部材，壁面の間に隙間を確保する柱部が設けられ、前記取付部材の柱部は壁面に取付けられる柱本体とレール部材に取付けられて柱本体に嵌合される柱カバーとを備え、前記レール部材は後面に取付部材の柱部の柱カバーの先端が係合する取付溝が設けられていることを特徴とする。
【０００９】
この手段では、レール部材が前面が平坦な板形に形成されて平面からなる壁面における異物感が弱くなるとともに、レール部材の凹凸構造である支持溝が板形の後面に隠されて前面側から視認されなくなり、取付部材もある程度の部分がレール部材によって隠蔽される。また、取付部材によってレール部材と壁面との間に確保された隙間を利用して壁面の凹凸を吸収することができる。
【００１１】
この手段では、取付部材の柱部が壁面，レール部材にそれぞれ取付けられてから組付けられる。
【００１３】
この手段では、取付部材の柱部の柱カバーがレール部材の後面の取付溝に係合取付けされる。
【００１４】
また、請求項２では、請求項１に記載の壁面用支持装置において、レール部材の取付溝はレール部材の長さ方向へ配設されていることを特徴とする。
【００１５】
この手段では、取付部材の柱部の柱カバーがレール部材の取付溝に嵌め回転させることで所定の位置に取付けられる。
【００１６】
また、請求項３では、請求項１または２に記載の壁面用支持装置において、取付部材の柱部の柱カバーはレール部材への取付位置を固定する固定用ネジが設けられていることを特徴とする。
【００１７】
この手段では、固定用ネジによってレール部材，取付部材（柱部の柱カバー）の間の不測の相対移動が阻止される。
【発明の効果】
【００１８】
本発明に係る壁面用支持装置は、レール部材が前面が平坦な板形に形成されて平面からなる壁面における異物感が弱くなるとともに、レール部材の凹凸構造である支持溝が板形の後面に隠されて前面側から視認されなくなり、取付部材もある程度の部分がレール部材によって隠蔽されるため、壁面の美観の低下を確実に防止することができる効果がある。また、取付部材によってレール部材と壁面との間に確保された隙間を利用して壁面の凹凸を吸収することができるため、壁面に凹凸がある場合にも取付けることができる効果がある。
【発明を実施するための最良の形態】
【００１９】
以下、本発明に係る壁面用支持装置を実施するための最良の形態を図面に基づいて説明する。この形態では、屋内の壁面Ｗに取付けられる比較的小型のものを示してある。この形態は、図１，図２に示すように、レール部材１，取付部材２で構成されている。
【００２０】
レール部材１は、金属材，合成樹脂材等を材料に形成された長尺状の板形である。なお、その前面１１は形状（凹凸、曲面等）は設計時の意匠により決る要件であり、本発明に要部となっていないことを付言する。
また、レール部材１の後面には、設置される物品Ｐ（図４〜図８参照）が支持される支持溝１２と、取付部材２が取付けられる取付溝１３とが設けられている。
【００２１】
支持溝１２及び取付溝１３は、レール部材１の長さ方向に沿って形成され、その側断面形状は概略相似形であり、取付溝１３を挟み上下に２本の支持溝１２が設けられている。支持溝１２は溝本体１２１及びその開口をなす上下の溝縁面１２２からなり、取付溝１３も同様に溝本体１３１及びその開口をなす上下の抜止片１３２から構成されている。
【００２２】
なお、支持溝１２の数は２に限定されるものではなく、レール部材１のサイズにより適宜増減させることが可能であり、図２においては上述したように２の支持溝１２に加え、当該支持溝１２と同様にして利用される補助支持溝１４が支持溝１２と取付溝１３との間にも形成した場合を示している。但し、支持溝１２が２の溝縁面１２２を備えるのに対し補助支持溝１４は１の溝縁面のみを備えた構成となっている。
【００２３】
取付部材２は、図２に詳細に示されるように、柱部２１，カバー部２２，取付用ネジ２３，固定用ネジ２４，連結用ネジ２５からなる。柱部２１は、壁面Ｗに当接される柱ベース２１１と、該柱ベース２１１と一体的に形成されて、この柱ベース２１１の中心から直立する柱本体２１２と、該柱本体２１２に嵌合して装着される柱カバー２１３とからなる。
【００２４】
柱ベース２１１は、方形のフランジ体に形成され、壁面Ｗに締付け取付けする取付用ネジ２３が挿通される挿通孔２１１ａと、挿通孔２１１ａに連通して取付用ネジ２３の頭部が収容される頭部収容穴２１１ｂとが９０度の角度を介して放射状に４個貫通されている。
【００２５】
柱本体２１２は、周面に円弧面２１２ａ，平面２１２ｂが２面ずつ相対された小判形の断面を有する柱体であり、円弧面２１２ａの一面にはネジ受穴２１２ｃが堀込まれている。
【００２６】
柱カバー２１３は、外観が方形柱体に形成され、一端部から内部に柱本体２１２が嵌合される嵌合穴２１３ａが堀込まれ、嵌合穴２１３ａに連通して固定用ネジ２４が螺合するネジ孔２１３ｂが他端部まで貫通され、柱本体２１２のネジ受穴２１２ｃに対応して外側から嵌合穴２１３ａに貫通して連結用ネジ２５が螺合されるネジ孔２１３ｃが設けられ、上面，下面の他端部寄りにレール部材１の取付溝１３の抜止片１３２に対応して抜止溝２１３ｄを形成するように係止片２１３ｅが設けられている。
この抜止溝２１３ｄは、図２にも示すように正面視概略矩形状で、１の対角線上のコーナが円弧状２１３ｆに形成されている。
【００２７】
カバー部２２は方形の皿体に形成され、柱部２１の柱ベース２１１を収容する柱ベース収容部２２１と、柱部２１の柱本体２１２が貫通される柱本体貫通孔２２２とが設けられている。取付部材２の取付用ネジ２３は、丸皿形の頭部を有する公知のものが選択されている。取付部材２の固定用ネジ２４，連結用ネジ２５は、軸部に角穴が堀込まれた頭部レス形からなるものが選択されている。
【００２８】
この形態では、図３に示すように、レール部材１が取付部材２によって壁面Ｗに取付けられる。先ず、図３（Ａ）の右側に示すように、柱部２１の柱ベース２１１を壁面Ｗに当接し、この状態で取付用ネジ２３を挿通孔２１１ａに挿通して壁面Ｗに締付けて取付固定する。このとき、連結用ネジ２５の締付作業を考慮して、壁面Ｗにおける取付位置が高い場合には、図示のように柱本体２１２のネジ受穴２１２ｃを下向きにし、壁面Ｗにおける取付位置が低い場合には、図示とは逆に柱本体２１２のネジ受穴２１２ｃを上向きにしておくことが好ましい。
【００２９】
一方、図３（Ａ）の左側に示すように、取付溝１３に柱カバー２１３の係止片２１３ｅを差込み、当該柱カバー２１３を回転させる。これにより抜止片１３２に抜止溝２１３ｄが嵌りこれらの離脱が阻止されるようになる。なお、係止片２１３ｅは上述したように、１の対角線上のコーナが円弧状２１３ｆに形成されているので、１方向に回転でき、円弧状に形成されていないコーナが抜止溝２１３ｄの側部に当ることで余剰回転が規制されるようになる。
この状態で固定用ネジ２４をネジ孔２１３ｂに螺合させて締付けることで、レール部材１に対する柱部２１が位置決めしながら固定することができる。
【００３０】
続いて、図３（Ｂ）に示すように、壁面Ｗに取付けられている柱ベース２１１にカバー部２２を被せる。カバー部２２は、柱ベース収容部２２１が柱ベース２１１に嵌合して、柱ベース２１１と取付用ネジ２３とを被覆し、平面的な外観を構成して壁面Ｗの美観の低下を避ける。なお、取付用ネジ２３の頭部が柱ベース２１１の頭部収容穴２１１ｂに収容されているため、取付部材２のカバー部２２がガタ付くことなく柱ベース２１１に嵌合される。
【００３１】
続いて、図３（Ｃ）に示すように、壁面Ｗから直立した格好となっている柱本体２１２に対して、レール部材１に取付け固定された柱カバー２１３を嵌合する。そして、柱本体２１２のネジ受穴２１２ｃに柱カバー２１３のネジ孔２１３ｃを対応させ、取付部材２の連結用ネジ２５を柱カバー２１３のネジ孔２１３ｃに螺合させ柱本体２１２のネジ受穴２１２ｃに係止させる。このとき、柱本体２１２のネジ受穴２１２ｃを取付位置の高低に対応した上向き，下向きになっているため、取付部材２の連結用ネジ２５を回すドライバ等の工具の操作が容易になる。
【００３２】
この結果、分離されていた柱部２１が連結一体化されて、レール部材１が取付部材２を介して壁面Ｗに取付けられることになる。なお、レール部材１，壁面Ｗの間には、柱部２１のほぼ突出長に相当する隙間Ｓが形成される。
【００３３】
この形態によると、レール部材１の前面１１は壁面Ｗの美観が損なわれないように形成され、レール部材１の凹凸構造である支持溝１２，取付溝１３が後面に隠されて前面側から視認されなくなっているので意匠性を損うことがない。また、取付部材２は、ある程度の部分がレール部材１によって隠蔽されているので、平面からなる壁面Ｗの美観の低下を確実に防止することができる。
【００３４】
また、取付部材２によってレール部材１と壁面Ｗとの間に確保された隙間Ｓを利用して壁面Ｗの凹凸を吸収することができる。即ち、例えば、壁面Ｗの凹部に取付部材２の柱部２１の柱ベース２１１を当接させ、壁面Ｗの凸部を隙間Ｓに突出させることによって、壁面Ｗに凹凸がある場合にも取付けることができる。
【００３５】
図４〜図８には、この形態についての物品Ｐの設置例を示してある。
【００３６】
図４は、物品Ｐを棚板としてある。この物品Ｐは、商品等Ｂを陳列したりする棚板からなる物品本体Ｐａにレール部材１の支持溝１２に係合する支持片Ｐｂが設けられて、レール部材１に支持されるようになっている。物品Ｐの支持片Ｐｂは、レール部材１の支持溝１２の溝本体１２１に係合するとともに溝縁面１２２にも当接してガタ付きが生じないように支持されている。
【００３７】
また、支持片Ｐｂには、支持位置の固定のためのネジＰｃや支持位置の安定化のための突当材Ｐｄが取付けられる。なお、図４では、物品Ｐの物品本体Ｐａをレール部材１の上側，下側に突出させて奥行ａを壁面Ｗまで延長し、壁面Ｗからのレール部材１の突出長ｂがデッドスペースにならないようにしている。
【００３８】
図５は、物品Ｐを上下のカバーとしてある。この物品Ｐは、図４と同様に物品本体Ｐａ，支持片Ｐｂからなるもので、壁面Ｗ，レール部材１の間の隙間Ｓと取付部材２とを被覆して、壁面Ｗの美観の低下を防止する。なお、上側の物品Ｐについては、例えば、奥行が狭いものの棚板としても使用することができる。また、下側の物品Ｐについては、例えば、各種の器具類を吊下げるフックとしても使用することができる。
【００３９】
図６は、物品Ｐを上部開放の収容箱としてある。この物品Ｐは、図４と同様に物品本体Ｐａ，支持片Ｐｂからなるもので、隙間Ｓの空間を利用して箸類，筆記用具類を起立収容する場合に使用される。
【００４０】
図７は、物品Ｐを上下に挿入口が設けられた収容箱としてある。この物品Ｐは、図４と同様に物品本体Ｐａ，支持片Ｐｂからなるもので、床面Ｆ近くに設置されて傘類，杖類を起立収容する場合に使用されて好適である。なお、この使用例では、収容箱の内面となるレール部材１の前面１１に傘類，杖類が引掛かる凹凸がないため、傘類，杖類の抜差しを円滑に行うことができる。
【００４１】
図８は、物品Ｐを他の器具類を支持するフレームとしてある。この物品Ｐは、図４と同様に物品本体Ｐａ，支持片Ｐｂからなるもので、壁面Ｗの上下に平行に取付けられたレール部材１に互いに対面されて鏡，パネル等の板状物Ｃを挟込み支持する額フレームとして使用されたり、照明器Ｌを収容フレームとして使用されたりする。
【００４２】
図４〜図８に示した物品Ｐの支持片Ｐｂについては、レール部材１の支持溝１２の開放された端部から差込むこともできるし、その形状によってはレール部材１の支持溝１２の壁面Ｗから引っかけて固定することも可能である。
【００４３】
以上、図示した形態の外に、レール部材１の支持溝１２を１条または３条以上とすることも可能である。
さらに、取付部材２の柱部２１を上下方向で２本以上配置することも可能である。
さらに、取付部材２の端部（短手辺）に支持溝１２，取付溝１３を被覆する端部材を追加することも可能である。
【産業上の利用可能性】
【００４４】
本発明に係る壁面用支持装置は、屋内，屋外にかかわらず取付けることができ、大きさに，規模を自由に変更して広範な分野に適用させることができる。
【図面の簡単な説明】
【００４５】
【図１】本発明に係る壁面用支持装置を実施するための最良の形態の斜視図である。
【図２】図１の要部の拡大分解図である。
【図３】図１の取付工事例の断面図であり、（Ａ）〜（Ｃ）に取付工事の施工順が示されている。
【図４】図１への物品の設置例の断面図である。
【図５】図１への物品の設置例の断面図である。
【図６】図１への物品の設置例の断面図である。
【図７】図１への物品の設置例の断面図である。
【図８】図１への物品の設置例の断面図である。
【符号の説明】
【００４６】
１            レール部材
１１          平坦面（前面）
１２          支持溝
１３          取付溝
２            取付部材
２１          柱部
２１２        柱本体
２１３        柱カバー
２４          固定用ネジ
Ｐ            物品
Ｓ            隙間
Ｗ            壁面
【図１】
0004478080.tif 000002
【図２】
0004478080.tif 000003
【図３】
0004478080.tif 000004
【図４】
0004478080.tif 000005
【図５】
0004478080.tif 000006
【図６】
0004478080.tif 000007
【図７】
0004478080.tif 000008
【図８】
0004478080.tif 000009